(57)【要約】      （修正有）【課題】脱糞の受容時のみならずその後の糞の回収・廃棄作業時においても糞に触れる懸念を極限まで低減したマジックハンド状犬の糞取り器を提供する。【解決手段】所望の長さの棒状体１０２０と、所望の長さの棒状体の一端に係止され、巾着袋の口縁部に先端から挿入可能に先端が開放されて全体として略環状に構成された、対向する一対の湾曲フレーム１０３０と、所望の長さの棒状体の他端に配置された把持部１０１０と、一対の湾曲フレームの対向間隔をマジックハンドのように把持部で調整する遠隔操作レバー１０７０と、棒状体または湾曲フレームまたは両者の係止部周辺に配置され、巾着袋が装着された場合にその紐が掛けられる、フック１０６０と、を備えるマジックハンド状犬の糞取り器１０００とする。【選択図】図１
2020108351.tif 000002
【特許請求の範囲】
【請求項１】
所望の長さの棒状体と、
前記所望の長さの棒状体の一端に係止され、巾着袋の口縁部に先端から挿入可能に前記先端が開放されて全体として略環状に構成された、対向する一対の湾曲フレームと、
前記所望の長さの棒状体の他端に配置された把持部と、
前記一対の湾曲フレームの対向間隔をマジックハンドのように前記把持部で調整する遠隔操作レバーと、
前記棒状体または前記湾曲フレームまたは両者の係止部周辺に配置され、前記巾着袋が装着された場合にその紐が掛けられる、フックと、を備える
ことを特徴とするマジックハンド状犬の糞取り器。
【請求項２】
請求項１に記載のマジックハンド状犬の糞取り器において、
前記棒状体は任意に長さ調整可能に構成される
ことを特徴とするマジックハンド状犬の糞取り器。
【請求項３】
請求項１または請求項２に記載のマジックハンド状犬の糞取り器において、
前記一対の湾曲フレームは、前記棒状体に対して任意に角度調整可能に係止される
ことを特徴とするマジックハンド状犬の糞取り器。
【請求項４】
請求項１乃至請求項３のいずれか一項に記載のマジックハンド状犬の糞取り器において、
前記一対の湾曲フレームは、前記棒状体に対して任意に脱着可能に係止される
ことを特徴とするマジックハンド状犬の糞取り器。
【請求項５】
請求項１乃至請求項４のいずれか一項に記載のマジックハンド状犬の糞取り器と、
前記一対の湾曲フレームの先端側から、その紐が通される口縁部内に前記湾曲フレームが挿通され、前記フックに前記紐が掛けられた、前記巾着袋と、を備える
ことを特徴とする犬の糞取りシステム。
【請求項６】
請求項１乃至請求項４のいずれか一項に記載のマジックハンド状犬の糞取り器と、
前記一対の湾曲フレームの先端側から、専用の挿通孔内に前記湾曲フレームが挿通され、前記フックに前記紐が掛けられた、前記巾着袋と、を備える
ことを特徴とする犬の糞取りシステム。
【請求項７】
請求項６に記載のマジックハンド状犬の糞取りシステムにおいて、
前記専用の挿通孔は、前記巾着袋の自然状態において、前記巾着袋の口縁部の下方に位置する
ことを特徴とする犬の糞取りシステム。
【請求項８】
請求項６または請求項７に記載のマジックハンド状犬の糞取りシステムにおいて、
前記巾着袋の内部には、尿を固化させる液体固化剤または尿を吸収する液体吸収体が備えられる
ことを特徴とする犬の糞取りシステム。
【請求項９】
請求項５乃至請求項８のいずれか一項に記載の犬の糞取りシステムの使用方法において、
前記巾着袋で糞を受容する工程と、
前記把持部を上方に前記巾着袋を下方にした状態で、前記巾着袋が自重により前記湾曲フレームの先端から自然落下するように、前記遠隔操作レバーを操作して、前記湾曲フレームの間隔を狭める工程と、
前記フックに係止された前記巾着袋の前記紐を、前記フックから取り外して廃棄する工程と、を有する
ことを特徴とする犬の糞取りシステムの使用方法。
【請求項１０】
請求項９に記載の犬の糞取りシステムの使用方法において、
前記フックに係止された前記巾着袋は、その口縁部が自重により閉じられる
ことを特徴とする犬の糞取りシステムの使用方法。
【発明の詳細な説明】
【技術分野】
【０００１】
本発明は、マジックハンド状犬の糞取り器に関し、特に、犬等の脱糞時に離間した所から犬等の尻部に差出して糞を回収する犬用糞取器等に関する。
【背景技術】
【０００２】
下記特許文献１には、杖状マジックハンドの形態をなし、犬糞に直接触ることなく収納庫内部の斜平板により、糞の逆流を防ぐことで、複数回、糞を採集出来る杖状犬の糞取り器が開示されている。この文献によれば、レバー７をにぎることにより中のワイヤ１０が引きあがり、真柱を持ちあげる。プレート１１が胴体１に固定されているので、真柱が引きあげられた力により、開口部分が開かれレバー７を離すと、バネの反発力により開口部分が閉じる。本器全体を傾けることにより、収納庫５に採集した糞が収まる。本器の採集器と収納庫に４５度の斜平板を、取り付けることにより糞の逆流を防ぎ、複数回、採取できることが記載されている（図面省略）。
【０００３】
また、下記特許文献２には、糞を回収した回収袋の抜け落ちを防止し、回収袋に触れることなく、手元の操作だけで、回収袋を取り外すことが可能な犬用糞取器が開示されている。この文献によれば、固定リング部２１と、この固定リング部２１を支持する所定の長さを有する把手部２２とが、一体に形成された本体２と、本体２に軸止され、この軸２ａを中心に回動する回動体３と、を備え、回動体３には、回動リング部３１が形成され、固定リング部２１と回動リング部３１は、所定のリング幅を有するとともに、いずれか一方のリング部外側面と他方のリング部内側面との間に回収袋４を挟み込み可能に形成され、外側に位置するリング部が径方向に縮小可能、及び／又は内側に位置するリング部が径方向に拡大可能な弾性部材からなる構成としてあることが記載されている。（図面省略）
【先行技術文献】
【特許文献】
【０００４】
【特許文献１】実用新案登録第３１４２６９３号公報
【特許文献２】実用新案登録第３１４５６６０号公報
【発明の概要】
【発明が解決しようとする課題】
【０００５】
しかし、特許文献１に記載の杖状犬の糞取り器においては、収納庫５に採集した糞を取り出す場合には、当該「杖状犬の糞取り器」のみでは取り出し不可能であり、炭バサミやトングのような別途の糞回収冶具が必要となる。さらに、収納庫５は固定された固体からなる容器であるからそれ自体を再利用するものであり、次回の糞回収のために洗浄したり乾燥させたりするメンテナンス作業も必要となる。これでは、せっかく手を汚さずに、また糞に近接することなく回収可能とするために、長い柄を備えた杖状冶具の先端で糞を回収したにも拘わらず、結局、その後の糞取り出し作業や洗浄作業においては、糞またはその残留物に近接して作業し、場合によっては手袋等を介してではあるが糞に触れながら作業する必要が生じる。
【０００６】
また、特許文献２に記載の犬用糞取器では、ステンレス板を環状に湾曲させた円環状の回動リング部３１が、回収袋４の上方に覆いかぶさって回収袋４を固定リング部２１に固定挟持する構成を採用している。この構成に基づけば、回動リング部３１は回収袋４よりも犬の肛門側に配置された状態で、脱糞を受容することとなるので、脱糞の方向が不安定な場合等には、回動リング部３１にも多くの糞尿が付着するものとなり、やはりその洗浄作業や乾燥・消毒作業等が必要となる。また、回収袋４を回収する場合においても、回収袋４の上方辺縁部（口縁部）に触れる必要があるところ、当該上方辺縁部は、脱糞受容時に糞尿に最も晒される懸念が大きな部分であり、せっかく長い棒状の把手部２２を用いて離間して糞を受容したにも拘わらず、結局手を糞で汚したり糞に触れたりする糞に近接した作業が必要となってしまう。
【０００７】
本発明は、上述した問題点に鑑み為された発明であって、脱糞の受容時のみならずその後の糞の回収・廃棄作業時においても糞に触れる懸念を極限まで低減したマジックハンド状犬の糞取り器を実現することを目的とする。
【課題を解決するための手段】
【０００８】
本発明のマジックハンド状犬の糞取り器は、所望の長さの棒状体と、所望の長さの棒状体の一端に係止され、巾着袋の口縁部に先端から挿入可能に先端が開放されて全体として略環状に構成された、対向する一対の湾曲フレームと、所望の長さの棒状体の他端に配置された把持部と、一対の湾曲フレームの対向間隔をマジックハンドのように把持部で調整する遠隔操作レバーと、棒状体または湾曲フレームまたは両者の係止部周辺に配置され、巾着袋が装着された場合にその紐が掛けられる、フックと、を備えることを特徴とする。
【０００９】
また、本発明のマジックハンド状犬の糞取り器は、好ましくは棒状体が任意に長さ調整可能に構成されることを特徴とする。
【００１０】
また、本発明のマジックハンド状犬の糞取り器は、さらに好ましくは一対の湾曲フレームが、棒状体に対して任意に角度調整可能または／及び棒状体に対して任意に脱着交換可能に係止されることを特徴とする。
【００１１】
また、本発明の犬の糞取りシステムは、上述のいずれか一項に記載のマジックハンド状犬の糞取り器と、一対の湾曲フレームの先端側から、その紐が通される口縁部内に湾曲フレームが挿通され、フックに紐が掛けられた、巾着袋とを備えることを特徴とする。
【００１２】
また、本発明の犬の糞取りシステムは、上述のいずれか一項に記載のマジックハンド状犬の糞取り器と、一対の湾曲フレームの先端側から、専用の挿通孔内に前記湾曲フレームが挿通され、フックに前記紐が掛けられた、巾着袋と、を備えることを特徴とする
【００１３】
また、本発明の犬の糞取りシステムは、好ましくは専用の挿通孔が、巾着袋の自然状態において、前記巾着袋の口縁部の下方に位置することを特徴とする。
【００１４】
また、本発明の犬の糞取りシステムの使用方法は、巾着袋で糞を受容する工程と、把持部を上方に巾着袋を下方にした状態で、巾着袋が自重により湾曲フレームの先端から自然落下するように、遠隔操作レバーを操作して、湾曲フレームの間隔を狭める工程と、フックに係止された巾着袋の紐を、フックから取り外して廃棄する工程と、を有することを特徴とする。
【００１５】
また、本発明の犬の糞取りシステムの使用方法は、好ましくはフックに係止された巾着袋が、その口縁部が自重により閉じられることを特徴とする。
【発明の効果】
【００１６】
脱糞の受容時のみならずその後の糞の回収・廃棄作業時においても糞に触れる懸念を極限まで低減したマジックハンド状犬の糞取り器を実現できる。
【図面の簡単な説明】
【００１７】
【図１】本実施形態のマジックハンド状犬の糞取り器の構成概要を説明する図であり、（ａ）が平面図を示し、（ｂ）が斜視図を示す、（ｃ）が湾曲フレームの詳細を説明する概念図である。
【図２】（ａ）は糞尿の採集状態を説明する図であり、（ｂ）はマジックハンド状犬の糞取り器の側面図、（ｃ）がその平面図、（ｄ）は巾着袋内の糞尿の自重により巾着袋が湾曲フレームから外れて紐でフックにぶら下げられている状態を説明する概念図である。
【図３】（ａ）は糞尿が収納された巾着袋の紐がフックに吊り下げられる様子をさらに詳細に示すものであり、（ｂ）は遠隔操作レバーの操作によって湾曲フレームが狭まった位置に移動する状態を説明する図である。
【図４】本実施形態の巾着袋の構成バリエーションの概要を説明する図である。
【発明を実施するための形態】
【００１８】
本実施形態のマジックハンド状犬の糞取り器等は、簡略にいえば、いわゆるマジックハンドの先端摘まみ部分（物を摘まむ為のアーム部分）をより大きいものに構成して、そこに巾着袋を装着して使用するような概略構成を備えている。そこで、以下図面に基づいて詳細に説明する。
【００１９】
図１は、本実施形態のマジックハンド状犬の糞取り器１０００の構成概要を説明する図であり、図１（ａ）が平面図を示し、図１（ｂ）が斜視図を示す、図１（ｃ）が湾曲フレーム１０３０の詳細を説明する概念図である。図１（ａ），（ｂ）において示すように、マジックハンド状犬の糞取り器１０００は、作業者が手で握る把持部１０１０から延伸された棒状体１０２０の先端に一対の湾曲フレーム１０３０（１），１０３０（２）（以下、適宜一対の湾曲フレーム１０３０と総称する）が備えられている。
【００２０】
把持部１０１０に設けられた遠隔操作レバー１０７０を引けば、遠隔操作レバー１０７０から不図示のワイヤー等を介して一対の湾曲フレーム１０３０の内方への移動動作、すなわち一対の湾曲フレーム１０４０で示す位置への移動動作、へと変換される。図１（ａ），（ｃ）では、一対の湾曲フレーム１０３０から一対の湾曲フレーム１０４０への移動動作を矢印で示している。このような動作機構については、公知のいわゆるマジックハンドの構成等を適宜採用し適用することができるので、ここでは詳述を避ける。
【００２１】
一対の湾曲フレーム１０３０には巾着袋１０５０が装着されているが、装着する場合には図１（ｃ）に示すように、一対の湾曲フレーム１０４０の位置として先端間隔を狭めた状態とすることが作業の容易性の観点から好ましい。そして、巾着袋１０５０の装着後は、一対の湾曲フレーム１０３０まで先端を広げておくことで、巾着袋１０５０が意図せずに落下すること防止できる。
【００２２】
また、棒状体１０２０は伸縮自在に構成されていることが、作業性の向上や作業バリエーションの増大の観点から好ましく、種々の位置や向き、姿勢における糞収容作業がより容易となるので好ましい。同様の理由により、棒状体１０２０と一対の湾曲フレーム１０３０との係合部１０３５は、その角度が自在に変更可能に構成されることが好ましい。図１（ｂ）には、当該角度の変更を矢印で示している。また、さらに好ましくは、一対の湾曲フレーム１０３０は、棒状体１０２０から脱着可能とされて交換可能に構成されるものとする。
【００２３】
また、図１に示すように、棒状体１０２０と一対の湾曲フレーム１０３０との係合部１０３５近辺の上面側にはフック１０６０が設けられており、巾着袋１０５０の紐が掛けられるようになっている。フック１０６０を上面側に配置することで、フック１０６０や掛けられた紐が糞尿や泥・土等で汚れる懸念を低減できるものとなる。そして、犬等が糞をする体制に入った場合には、その肛門付近に巾着袋１０５０を差し出して、巾着袋１０５０内に糞尿を収容する。ここで、図２（ａ）は糞尿の採集状態を説明する図である。また、図２（ｂ）はマジックハンド状犬の糞取り器の側面図、図２（ｃ）がその平面図、図２（ｄ）は巾着袋内の糞尿の自重により巾着袋が湾曲フレームから外れて紐でフックにぶら下げられている状態を説明する概念図である。
【００２４】
この動作において、作業者は、把持部１０１０を握って肛門付近から離間した状態で略棒状体１０２０の長さに対応する距離を置いて、作業収容可能となる。このため、糞尿の飛散等による作業者の汚染を回避でき、かつ巾着袋１０５０で糞尿を受容するので周囲への飛び散り等の懸念もない。巾着袋１０５０内には例えば、種々の消臭剤や消毒剤、そして液体固化剤や液体吸収剤等を予め入れておいてもよい。液体吸収剤等としては、いわゆるおむつのようなシート状であってもよく、その他バルク状、ペレット状であってもよく、公知の任意の態様のものを採用してよい。
【００２５】
糞尿の採集が完了すれば、遠隔操作レバー１０７０を引いて、図１（ｃ）の一対の湾曲フレーム１０４０の位置となるようにして、把持部１０１０を一対の湾曲フレーム１０４０に対して上方になるようにさらに傾ける。これにより、巾着袋１０５０は、その内部に収容された糞尿を含めた自重によって、一対の湾曲フレーム１０４０の先端から脱落して、フック１０６０に係止された紐１０５１により吊り下げられる態様となる。同時に、紐１０５１で吊り下げられた巾着袋１０５０は、その口縁部１０５２が閉じられて糞尿が巾着袋１０５０内部に閉じ込められ封止されたような状態となる。（図２（ｄ）、図３（ａ）参照）
【００２６】
従って、作業者は、手を汚すことなく、紐１０５１を持ってフック１０６０から外してそのまま巾着袋１０５０を廃棄すればよいものとなる。なお、フック１０６０は、紐を掛けるのみならず掛けた状態でロックできたり脱着可能に固定できたりする構成のものでもよく、一時的に紐を保持・係止できる機構であれば公知の任意の構成を採用し適用することができる。
【００２７】
また、図３（ａ）は糞尿が収納された巾着袋１０５０の紐１０５１がフック１０６０に吊り下げられる様子をさらに詳細に示すものであり、図３（ｂ）は遠隔操作レバー１０７０の操作によって湾曲フレーム１０３０が１０４０の位置に移動する状態を説明する図である。巾着袋１０５０の一対の湾曲フレーム１０３０への脱着時には、湾曲フレーム１０４０の位置とした状態で行うものとする。
【００２８】
図４は、本実施形態の巾着袋１０５０の構成バリエーションの概要を説明する図である。図４（ａ）に示すように、巾着袋１０５０の口縁部１０５２には紐１０５１が挿通されており、紐１０５１を引っ張ることで口縁部１０５２が閉じ、緩めることで口縁部１０５２が開くものとなっている。当該口縁部１０５２には、一対の湾曲フレーム１０３０（１０４０）が先端から挿通されることができる。
【００２９】
また、巾着袋１０５０内に収容された糞尿は、紐１０５１をフック１０６０からその係止を外して持ち上げると、糞尿の自重によって紐１０５１に対して巾着袋１０５０が垂れ下がるので、紐１０５１が引っ張られた状態となって口縁部１０５２が自然に閉じることとなる。これにより、巾着袋１０５０内の糞尿の匂いを放出することなく、また外観を外部から視認することなく、巾着袋１０５０内に完全に収容し巾着袋１０５０ごと廃棄することが可能となる。
【００３０】
また、口縁部１０５２周辺を作業者が手に触れることなく、紐１０５１を吊り下げるのみで良いため、手を汚す懸念も殆ど無い。糞尿を現に受容する時は、紐１０５１が口縁部１０５２から離間したフック１０６０に係止されていることから、紐１０５１（特にその先端部分）は糞尿に汚染されることはない。
【００３１】
また、図４（ｂ）に示すように、口縁部１０５２のやや下方に、一対の湾曲フレーム１０３０（１０４０）が先端から挿通されることができる専用の挿通孔１０５３を備えるものとしてもよい。図４（ｂ）に示す専用の挿通孔１０５３に一対の湾曲フレーム１０３０（１０４０）を挿通した場合には、口縁部１０５２を含むその上方の部位は、一対の湾曲フレーム１０３０（１０４０）の外側に折り返しておくことができる。
【００３２】
これにより、専用の挿通孔１０５３の周辺が糞尿で汚染されたとしても、それは巾着袋１０５０の内壁であるから、紐１０５１を持ち上げて吊り下げた場合には、汚れた部位が外部に露出されることはなく、当該糞尿も含めた汚れ物に対して全て巾着袋１０５０内に収めることができる。しかも、糞尿回収作業及びその後の廃棄作業において、作業者は紐１０５１に触れるのみであるから、作業者の人体は汚れることがない。
【００３３】
また、マジックハンド状犬の糞取り器１０００それ自体は、一対の湾曲フレーム１０３０（１０４０）も含めて糞尿に汚染される懸念が無いので、準備作業であるところに一対の湾曲フレーム１０３０（１０４０）に巾着袋１０５０を装着する作業においても、人体は糞尿で汚染されることはない。さらに同様の理由により、マジックハンド状犬の糞取り器１０００の撤収及び保管・メンテナンスにおいても極めて清潔に行え、器具や部品の清掃・消毒等の負担は少ないものとなる。
【００３４】
また、一対の湾曲フレーム１０３０（１０４０）はその大きさ（例えばその内径）を種々変えたものを取り揃えておき、犬等の品種や大きさや癖等に応じて、湾曲フレーム部位のみを取り換えて最適な任意なものを付け替え脱着交換できるものとしておくことが好ましい。これにより、複数の犬種を飼っている場合や異種の動物を飼っている場合等、対応可能なシーンのバリエーションが増えてより柔軟に対応できるものとなる。付け替え可能とする機構や構造は、虫取り網や魚すくい網等で既に公知の種々の構成を採用できる。
【００３５】
なお、専用の挿通孔１０５３は、専用の挿通孔１０５３が一対の湾曲フレーム１０３０（１０４０）の係止から外れて口縁部１０５２が紐１０５１で締め付けられる場合に、外側へ折り返されていた口縁部１０５２が戻って最上方で縛る態様となる程度に、口縁部１０５２の下方に位置することが好ましい。すなわち、巾着袋１０５０の装着状態における一対の湾曲フレーム１０３０（１０４０）を覆っていた巾着袋１０５０の外被覆面（汚染される可能性が高い面）は、紐１０５１で縛った場合には巾着袋１０５０の内面となっていることが好ましい。このため、専用の挿通孔１０５３が口縁部１０５２から過剰に下方に位置すればそのままの状態（口縁部１０５２が外方に折り返されたままの状態）で紐１０５１で縛られる懸念が生じてしまう場合があるので、これを回避するために、専用の挿通孔１０５３が口縁部１０５２からやや下方（典型的には数ｃｍ以内）とすることが好ましい。これにより、巾着袋１０５０が自重により紐１０５１で縛られる場合に、外側へ折り返されていた口縁部１０５２が紐１０５１で引っ張られて最上方の位置に戻るとともに口縁部１０５２を縛るものとなるので、汚れた箇所は全て巾着袋１０５０内部に位置するものとなって好ましい。
【００３６】
本実施形態のマジックハンド状犬の糞取り器は、所望の長さの棒状体と、所望の長さの棒状体の一端に係止され、巾着袋の口縁部に先端から挿入可能に先端が開放されて全体として略環状に構成された、対向する一対の湾曲フレームと、所望の長さの棒状体の他端に配置された把持部と、一対の湾曲フレームの対向間隔をマジックハンドのように把持部で調整する遠隔操作レバーと、棒状体または湾曲フレームまたは両者の係止部周辺に配置され、巾着袋が装着された場合にその紐が掛けられる、フックと、を備えることを特徴とする。ここで、略環状とは、大凡の円形や各種楕円形やＵ字型／コの字型及びそれらの変形アレンジ構造を含む概念である。
【００３７】
これにより、犬等の動物の脱糞時に、人間が棒状体の長さだけ離間したところから糞尿を巾着袋内に受容してやることが可能となり、また、巾着袋の取り外し時や糞尿廃棄時においても、手や人体を糞尿で汚すことなく、ある程度離間した状態で作業することが可能となる。また、本実施形態のマジックハンド状犬の糞取り器は、それ自体が糞尿で汚染されたり汚れたり接触することが無いので、巾着袋の脱着時においても、常に清潔である。
【００３８】
また、糞尿で汚れる虞がある巾着袋内部や口縁部は閉じられて、巾着袋の取り外し時には糞が既に略封止された状態となっているので、糞の飛散やその匂い、外観上の不衛生の心配等も無い。さらに、その巾着袋の袋それ自体には触れる必要がなく、袋本体から離間したフックに掛けられた紐を摘まみ上げればよいので、糞入り巾着袋の廃棄が極めて衛生的で清潔に行える。また、フックとしては、紐を脱着可能に係止可能な公知の各種係止部材を適用することができる。
【００３９】
また、本実施形態のマジックハンド状犬の糞取り器は、好ましくは棒状体が任意に長さ調整可能に構成されることを特徴とする。これにより、作業者の身長や動物の大きさ及び糞の受容作業の位置等に応じて、脱糞場所から任意に離間した距離を置いて糞を収容することが可能となる。また、糞の受容作業時とその後の巾着袋の廃棄作業時等において、棒状体の長さを任意に変更して作業効率を向上させることも可能である。
【００４０】
また、保管・メンテナンス時には短くして容積を減らしコンパクトに収納し、使用時にのみ任意に長く展開して使用することも可能であるので好ましい。長さ調整機構は公知の任意の構成を採用できるが、例えば釣り竿や虫取り網や家庭用伸縮支え棒や物干し竿等にも採用される入れ子状構造として回動で固定する構成としてもよい。
【００４１】
また、本実施形態のマジックハンド状犬の糞取り器は、さらに好ましくは一対の湾曲フレームが、棒状体に対して任意に角度調整可能または／及び棒状体に対して任意に脱着交換可能に係止されることを特徴とする。これにより、巾着袋の装着作業や糞の受容作業とその後の巾着袋の取り外し作業がより容易に行えるので好ましい。また、保管・収納時やメンテナンス時にはコンパクトに折り曲げて全体の長さを短くする等により、取り扱い及び保管等がさらに容易になるので好ましい。
【００４２】
糞の受容作業においては、脱糞の高さ位置や作業者からの距離等に応じて最適な角度で巾着袋及び湾曲フレームを差し出し受けることが可能となるので好ましい。また、脱着可能にしておけば、移動時や運搬時及び保管時にユーティリティがさらに向上するものとなり、任意の大きさ・形状の湾曲フレームに付け替え交換して利用することもできるので対応可能な動物や適用場面がさらに増えるので好ましい。
【００４３】
また、本実施形態の犬の糞取りシステムは、上述のいずれか一項に記載のマジックハンド状犬の糞取り器と、一対の湾曲フレームの先端側から、その紐が通される口縁部内に湾曲フレームが挿通され、フックに紐が掛けられた、巾着袋とを備えることを特徴とする。
【００４４】
これにより、犬等の動物の脱糞時に、人間が棒状体の長さだけ離間したところから糞尿を巾着袋内に受容してやることが可能となり、また、巾着袋の取り外し時や糞尿廃棄時においても、手や人体を糞尿で汚すことなく、ある程度離間した状態で作業することが可能となる。また、本実施形態のマジックハンド状犬の糞取り器は、それ自体が糞尿で汚染されたり汚れたり接触することが無いので、巾着袋の脱着時においても、常に清潔である。
【００４５】
また、糞尿で汚れる虞がある巾着袋内部や口縁部は閉じられて、巾着袋の取り外し時には糞が既に略封止された状態となっているので、糞の飛散やその匂い、外観上の不衛生の心配等も無い。さらに、その巾着袋の袋それ自体には触れる必要がなく、袋本体から離間したフックに掛けられた紐を摘まみ上げればよいので、糞入り巾着袋の廃棄が極めて衛生的で清潔に行える。
【００４６】
これにより、作業者の身長や動物の大きさ及び糞の受容作業の位置等に応じて、脱糞場所から任意に離間した距離を置いて糞を収容することが可能となる。また、糞の受容作業時とその後の巾着袋の廃棄作業時等において、棒状体の長さを任意に変更して作業効率を向上させることも可能である。また、保管・メンテナンス時には短くして容積を減らしコンパクトに収納し、使用時にのみ任意に長く展開して使用することも可能であるので好ましい。長さ調整機構は公知の任意の構成を採用できるが、例えば釣り竿や虫取り網や家庭用伸縮支え棒や物干し竿等にも採用される入れ子状構造として回動で固定する構成としてもよい。
【００４７】
これにより、巾着袋の装着作業や糞の受容作業とその後の巾着袋の取り外し作業がより容易に行えるので好ましい。また、保管・収納時やメンテナンス時にはコンパクトに折り曲げて全体の長さを短くする等により、取り扱い及び保管等がさらに容易になるので好ましい。糞の受容作業においては、脱糞の高さ位置や作業者からの距離等に応じて最適な角度で巾着袋及び湾曲フレームを差し出し受けることが可能となるので好ましい。
【００４８】
また、本実施形態の犬の糞取りシステムの使用方法は、巾着袋で糞を受容する工程と、把持部を上方に巾着袋を下方にした状態で、巾着袋が自重により湾曲フレームの先端から自然落下するように、遠隔操作レバーを操作して、湾曲フレームの間隔を狭める工程と、フックに係止された巾着袋の紐を、フックから取り外して廃棄する工程と、を有することを特徴とする。これにより、犬の糞取りシステムの使用準備・使用中・糞の廃棄作業・使用後の保管／メンテナンス時等においても常に一貫して糞から離間して、糞に触れることなく極めて清潔な作業が行えることとなるので好ましい。さらに具体的には、湾曲フレームの先端を狭めると（マジックハンドで例えると摘まむ動作時に対応）、当該巾着袋の口縁部等が張り詰めた状態から緩められるので、自重により湾曲フレームに沿って口縁部が先端方向へ抜け落ちるものとなる。一方、湾曲フレームの先端を広げると、当該巾着袋の口縁部等が広げられて張り詰めた状態となるので、口縁部等がしっかりと湾曲フレームに支持・開口されて巾着袋の受け口が大きく張架開口され、好ましくは湾曲フレームの湾曲形状の効果も作用することにより、巾着袋がしっかりと保持された状態となる。
【００４９】
また、巾着袋は、湾曲フレームが挿通される為の専用の挿通孔を備えていてもよい。この場合に、専用の挿通孔は、湾曲フレームが挿通されて動物の肛門付近で糞を受け取る最前線となるので、受糞時にはその下方に紐の挿通孔（紐を引っ張って口縁部を閉じる場合の該当箇所）が位置するものとすることがさらに好ましい。一方、巾着袋を閉じた状態では、紐で閉められた口縁部が最上方に位置することが好ましい。
【００５０】
このため、さらに好ましくは、巾着袋の自然状態で紐の挿通孔の下方に湾曲フレーム専用の挿通孔を備えるものとし、湾曲フレーム専用の挿通孔に湾曲フレームを挿通した状態では、紐の挿通孔を外方に折り返しておき糞で汚れるのは袋内壁のみとし、巾着袋の取り外し時には紐の挿通孔で口縁部を閉じることにより、湾曲フレーム専用の挿通孔の汚れた袋壁面が内部に内包される構成とすることが良い。さらに、巾着袋内には公知の液体固化剤を備えておくことにより、尿を固化させて糞とともに処理することが可能となり、また糞に混じった液体が固化されるので、このような液体漏れや廃棄時の液体飛び散りの懸念も低減できることとなるので好ましい。
【００５１】
また、本実施形態の犬の糞取りシステムの使用方法は、好ましくはフックに係止された巾着袋が、その口縁部が自重により閉じられることを特徴とする。これにより、糞の匂いが周囲に漂って悪臭の原因となることを回避し、また外観上も糞が直接人目に触れることなく廃棄処理可能となるので好ましい。従来、糞の袋や容器への受容は人から離間した状態で行えても、袋の回収や廃棄時には人に近しい距離での作業が不可欠であり、糞に触れたり糞が見えたりすることが避けられなかったが、本発明により、糞（及び袋本体）から離れた紐をフックからピックアップするのみで良く、匂いが漂うことも低減され、糞が人目に触れることも防止できるので好ましい。
【００５２】
また、口縁部１０５２や専用の挿通孔１０５３は、一体的な連続した孔で無くても良く、紐１０５１や湾曲フレーム１０３０を係止できる程度に断続的に形成された態様としてもよい。さらに、専用の挿通孔１０５３は、巾着袋１０５０の外面に沿って湾曲フレーム１０３０を係止できる程度に、輪や環状体を連続一体的にまたは断続的に設ける構成としても良く、巾着袋１０５０の外面を利用してこれを輪や環状体の一部構成として利用して、これにより湾曲フレーム１０３０を脱着可能に保持するものとしてもよい。
【００５３】
上述の実施形態で例示したマジックハンド状犬の糞取り器等は、各実施形態での説明に限定されるものではなく、各実施形態で説明する技術思想の範囲内かつ自明な範囲内で、適宜その構成や使用方法等を変更することができる。また、対象動物は犬に限定されるものではなく、猫やウサギやその他小動物や家畜を含む動物全般の糞取り器として利用可能である。
【産業上の利用可能性】
【００５４】
本発明のマジックハンド状犬の糞取り器等は、犬に限定されるものではなく、猫やウサギやその他小動物や家畜を含む動物全般の糞取り器として適用できる。
【符号の説明】
【００５５】
１０００・・マジックハンド状犬の糞取り器、１０１０・・把持部、１０２０・・棒状体、１０３０・・湾曲フレーム（自然状態）、１０３５・・係止部、１０４０・・湾曲フレーム（狭まった位置）、１０５０・・巾着袋、１０５１・・紐、１０５２・・口縁部、１０５３・・専用の挿通孔、１０６０・・フック、１０７０・・遠隔操作レバー。
【図１】
2020108351.tif 000003
【図２】
2020108351.tif 000004
【図３】
2020108351.tif 000005
【図４】
2020108351.tif 000006